(57)【要約】【課題】電気ヒータを用いることなく通風路内の着霜を防止することができるとともに、消費電力の低減を図ることのできる冷凍ショーケースを提供する。【解決手段】凝縮器３２から流出する冷媒を冷媒流通管４０ａによって空気吸込口２２ａ側の通風路２２内に流通させるようにしたので、空気吸込口２２ａから通風路２２に流通する空気と冷媒流通管４０ａを流通する冷媒とを熱交換させて通風路２２を流通する空気を加熱することができ、電気ヒータを用いることなく空気中の水分が通風路２２内に霜として付着することを防止することができることから、消費電力の低減を図ることができる。また、空気吸込口２２ａから通風路２２に流通する空気と冷媒流通管４０ａを流通する冷媒とを熱交換させて冷媒回路４０の冷媒を冷却することができ、冷媒回路４０の冷媒を過冷却の状態にすることにより、冷凍能力の向上を図ることができる。【選択図】図２
2006078022.tif 000002
【特許請求の範囲】
【請求項１】
ショーケース本体内の所定位置に設けた空気吸込口から流入した空気を流通する通風路と、通風路を流通する空気をショーケース本体内の所定位置に設けた空気吐出口に向かって流通させる送風機と、通風路内に設けられた蒸発器とを備え、圧縮機及び凝縮器を流通した冷媒を膨張手段を介して蒸発器に流入させ、蒸発器から流出した冷媒を圧縮機に吸入させるようにして冷媒回路を構成し、通風路を流通する空気を蒸発器によって冷却することによりショーケース本体内に収納された商品を冷却するようにした冷凍ショーケースにおいて、
前記通風路の空気吸込側に冷媒回路の凝縮器から吐出した冷媒の熱を放出する冷媒流通管を設けた
ことを特徴とする冷凍ショーケース。
【請求項２】
前記冷媒流通管を通風路の空気吸込口の近傍に通風路の幅方向に亘って設けた
ことを特徴とする請求項１記載の冷凍ショーケース。
【請求項３】
前記冷媒流通管を空気吸込口の下方に位置する通風路内に通風路の幅方向に亘って設けた
ことを特徴とする請求項２記載の冷凍ショーケース。
【発明の詳細な説明】
【技術分野】
【０００１】
本発明は、スーパーマーケットやコンビニエンスストア等の店舗に設置される冷凍の商品を収納するショーケースに関するものである。
【背景技術】
【０００２】
従来、この種の冷凍ショーケースとしては、上面を開口したショーケース本体と、ショーケース本体内の前面側、底面側及び背面側に沿って形成された通風路と、通風路内に配置された冷却器及び送風機とを備え、ショーケース本体の上面開口部の前後方向一端側に設けた空気吸込口から吸入した空気を冷却器によって冷却し、ショーケース本体の上面開口部の前後方向他端側に設けた空気吐出口から吐出するようにして上面開口部にエアカーテンを形成することにより、冷凍用の商品をショーケース本体内において冷却するようにしたものが知られている（例えば、特許文献１参照）。
【０００３】
しかしながら、前記冷凍ショーケースでは、空気吐出口から吐出される空気とともに、冷凍ショーケース外の空気が空気吸込口から通風路に流入する。このとき、冷凍ショーケース外の空気は絶対湿度が高いため、通風路内において冷却されることにより空気中の水分が凝縮するとともに、霜として通風路の内壁に付着する。このため、冷凍ショーケースを継続的に運転することにより、通風路の内壁に付着する霜によって通風路が閉塞される恐れがある。
【０００４】
そこで、通風路内に電気ヒータを設けることにより、通風路を流通する空気を加熱するとともに、通風路の内壁に付着した霜を融解させることにより着霜を防止するようにしたものが知られている。
【特許文献１】特開平９−２６４６５４号公報
【発明の開示】
【発明が解決しようとする課題】
【０００５】
しかしながら、通風路内に電気ヒータを設けた冷凍ショーケースでは、冷却運転を行う際に圧縮機を運転するとともに、常に電気ヒータに通電しなければならず、消費電力が増大するという問題点があった。
【０００６】
本発明は前記問題点に鑑みてなされたものであり、その目的とするところは、電気ヒータを用いることなく通風路内の着霜を防止することができるとともに、消費電力の低減を図ることのできる冷凍ショーケースを提供することにある。
【課題を解決するための手段】
【０００７】
本発明は前記目的を達成するために、ショーケース本体内の所定位置に設けた空気吸込口から流入した空気を流通する通風路と、通風路を流通する空気をショーケース本体内の所定位置に設けた空気吐出口に向かって流通させる送風機と、通風路内に設けられた蒸発器とを備え、圧縮機及び凝縮器を流通した冷媒を膨張手段を介して蒸発器に流入させ、蒸発器から流出した冷媒を圧縮機に吸入させるようにして冷媒回路を構成し、通風路を流通する空気を蒸発器によって冷却することによりショーケース本体内に収納された商品を冷却するようにした冷凍ショーケースにおいて、前記通風路の空気吸込側に冷媒回路の凝縮器から吐出した冷媒の熱を放出する冷媒流通管を設けている。
【０００８】
これにより、空気吸込口から通風路に流入した空気と凝縮器から流出する冷媒回路の冷媒とが熱交換されることから、通風路を流通する空気が冷媒回路の冷媒によって加熱されるとともに、通風路の内壁に付着した霜が融解される。また、冷媒回路の冷媒が通風路を流通する空気によって過冷却される。
【発明の効果】
【０００９】
本発明によれば、空気吸込口から通風路に流通する空気と凝縮器から流出する冷媒回路の冷媒とを熱交換させて通風路を流通する空気を加熱することができるので、電気ヒータを用いることなく空気中の水分が通風路内に霜として付着することを防止することができることから、消費電力の低減を図ることができる。また、空気吸込口から通風路に流通する空気と凝縮器から流出する冷媒回路の冷媒とを熱交換させて冷媒回路の冷媒を冷却することができるので、冷媒回路の冷媒を過冷却の状態にすることにより、冷凍能力の向上を図ることができる。
【発明を実施するための最良の形態】
【００１０】
図１乃至図４は本発明の一実施形態を示すもので、図１は冷凍ショーケースの斜視図、図２は冷凍ショーケースの側面断面図、図３は冷媒回路を示す冷凍ショーケースの正面図、図４は通風路に設けられた冷媒回路を示す冷凍ショーケースの斜視図である。
【００１１】
この冷凍ショーケースは、上面を開口したショーケース本体１０内に設けられた商品収納庫２０と、ショーケース本体１０の下部に設けられた機械室３０と、商品収納庫２０内及び機械室３０内に冷凍サイクルを構成する冷媒回路４０とから構成されている。
【００１２】
商品収納庫２０は、前面側、左右両側面側、背面側及び底面側を断熱壁２１によって形成され、その内部を仕切ることにより前面側、底面側及び背面側に沿って通風路２２が形成されている。前面側に位置する通風路２２の上端には空気吸込口２２ａが背面側に向かって設けられるとともに、背面側に位置する通風路２２の上端には空気吐出口２２ｂが前面側に向かって設けられている。また、底面側に位置する通風路２２内には冷媒回路４０に接続された蒸発器２３が通風路２２の幅方向に延びるように設けられ、その前面側には通風路２２の空気を流通させる蒸発器用送風機２４が設けられている。
【００１３】
機械室３０内には、冷媒回路４０に接続された圧縮機３１及び凝縮器３２が配置され、凝縮器３２には機械室３０内の空気と凝縮機３２を流通する冷媒とを熱交換させる凝縮器用送風機３３が設けられている。
【００１４】
冷媒回路４０は、蒸発器２３、圧縮機３１、凝縮器３２及び膨張弁４１を備え、これらは冷媒流通用の配管によって接続されている。即ち、圧縮機３１の吐出側には凝縮器３２の流入側が接続され、凝縮器３２の流出側には蒸発器２３の流入側が膨張弁４１を介して接続されている。また、蒸発器２３の流出側には圧縮機３１の吸入側が接続されることによって冷媒回路４０が構成されるようになっている。このとき、凝縮器３２の流出側に接続された冷媒流通管４０ａは、前面側の通風路２２内の上端側を幅方向一端側から他端側に向かって延びるとともに、前面側の通風路２２内の下端側を幅方向他端側から一端側に向かって延びるようにして蒸発器２３の流入側に設けられた膨張弁４１に接続されるようになっている。
【００１５】
以上のように構成された冷凍ショーケースにおいて、蒸発器用送風機２４、圧縮機３１及び凝縮器用送風機３３を運転すると、圧縮機３１から吐出された冷媒は、凝縮器３２を流通した後、蒸発器２３に膨張弁４１を介して流通して圧縮機３１に吸入される。このとき、凝縮器３２を流通する冷媒は凝縮器用送風機３３によって流通する空気と熱交換して凝縮し、凝縮して蒸発器２３を流通する冷媒は蒸発器用送風機２４によって通風路２２を流通する空気と熱交換して蒸発する。これにより、蒸発器用送風機２４によって空気吸込口２２ａから通風路２２に流通する商品収納庫２０内の空気を、蒸発器２３を流通する冷媒の蒸発潜熱によって冷却する。冷却した空気を空気吐出口２２ｂから吐出してショーケース本体１０の上面開口部にエアカーテンを形成することにより、商品収納庫２０内を冷却する。
【００１６】
ここで、空気吸込口２２ａには、商品収納庫２０内の冷却された空気以外に例えば冷凍ショーケースが設置されているスーパーマーケットやコンビニエンスストア等の店舗内の空気が流入する。この店舗内の空気は、商品収納庫２０内の空気と比較して温度及び絶対湿度が高いため、空気吸込口２２ａに流入すると、商品収納庫２０内の空気により冷却されて空気中の水分が凝縮して凍結する。しかし、前面側の通風路２２の上端側には凝縮器３２から流出した冷媒が流通する冷媒流通管４０ａが設けられているために、通風路２２内を流通する空気は冷媒流通管４０ａによって加熱される。また、通風路２２の内壁に凝縮した水分が霜として付着した場合にも、冷媒流通管４０ａの熱によって霜が融解される。これにより、空気吸込口２２ａ付近の通風路２２内の壁面に凝縮した水分が霜として付着して通風路２２を閉塞するようなことはない。また、前面側の通風路２２の下端側にも凝縮器３２から流出した冷媒が流通する冷媒流通管４０ａが設けられているために、前面側の通風路２２の上端側において凍結することなく下方に流通する空気は冷媒流通管４０ａによって加熱される。また、通風路２２の内壁に凝縮した水分が霜として付着した場合にも、冷媒流通管４０ａの熱によって霜が融解される。これにより、前面側の通風路２２の下端側の壁面に凝縮した水分が霜として付着して通風路２２を閉塞するようなことはない。また、通風路２２内に設けられた冷媒流通管４０ａを流通する冷媒は、通風路２２を流通する空気と熱交換することにより過冷却の状態となり、冷凍能力を向上させる。
【００１７】
このように、本実施形態の冷凍ショーケースによれば、凝縮器３２から流出する冷媒を冷媒流通管４０ａによって空気吸込口２２ａ側の通風路２２内に流通させるようにしたので、空気吸込口２２ａから通風路２２に流通する空気と冷媒流通管４０ａを流通する冷媒とを熱交換させて通風路２２を流通する空気を加熱することができ、電気ヒータを用いることなく空気中の水分が通風路２２内に霜として付着することを防止することができることから、消費電力の低減を図ることができる。また、空気吸込口２２ａから通風路２２に流通する空気と冷媒流通管４０ａを流通する冷媒とを熱交換させて冷媒回路４０の冷媒を冷却することができ、冷媒回路４０の冷媒を過冷却の状態にすることにより、冷凍能力の向上を図ることができる。
【００１８】
また、冷媒流通管４０ａを通風路２２の空気吸込口２２ａの近傍に通風路２２の幅方向に亘って設けたので、ショーケース本体１０外の空気が流入して霜が付着しやすい通風路２２の空気吸込口２２ａの近傍に位置する通風路２２内の壁面に霜が付着した場合にも霜を融解させることができ、霜の付着によって空気吸込口２２ａが閉塞されることはない。
【００１９】
また、冷媒流通管４０ａを空気吸込口２２ａの下方に位置する通風路２２内に通風路２２の幅方向に亘って設けたので、通風路２２の空気吸込口２２ａの下方に位置する通風路２２内の壁面に付着した霜を融解させることができるとともに、通風路２２の空気吸込口２２ａの近傍に設けられた冷媒流通管４０ａによって霜を融解させることにより落下する水分の凍結を防止することができ、霜及び氷の付着によって通風路２２が閉塞されることはない。
【００２０】
尚、前記実施形態では、ショーケース本体１０の下部に設けられた機械室３０内に圧縮機３１及び凝縮器３２を配置して冷凍サイクルを構成したものを示したが、圧縮機３１及び凝縮器３２を別途冷凍機ユニットとして設置し、冷媒流通用の配管によって冷凍ショーケースの蒸発器２３と接続することにより冷凍サイクルを構成するようにしてもよい。
【００２１】
また、前記実施形態では、平型の冷凍オープンショーケースの通風路２２に凝縮器３２から流出する冷媒を冷媒流通管４０ａによって流通させるようにしたものを示したが、上面または前面にガラス扉が設けられた冷凍ショーケースの通風路に凝縮器から流出する冷媒を流通させるようにしてもよい。
【００２２】
また、前記実施形態では、冷媒流通管４０ａを通風路２２ａの近傍に通風路２２の幅方向に亘って設けるとともに、空気吸込口２２ａの下方に位置する通風路２２の下端に通風路２２の幅方向に亘って設けたものを示したが、図５に示すように、冷媒流通管４０ａを空気吸込口２２ａ側の通風路２２の上部に設けるようにしてもよい。
【図面の簡単な説明】
【００２３】
【図１】冷凍ショーケースの斜視図
【図２】冷凍ショーケースの側面断面図
【図３】冷媒回路を示す冷凍ショーケースの正面図
【図４】通風路に設けられた冷媒回路を示す冷凍ショーケースの斜視図
【図５】その他の例を示す冷凍ショーケースの斜視図
【符号の説明】
【００２４】
１０…ショーケース本体、２２…通風路、２２ａ…空気吸込口、２２ｂ…空気吐出口、２３…蒸発器、２４…蒸発器用送風機、３１…圧縮機、３２…凝縮器、４０…冷媒回路、４０ａ…冷媒流通管。
【図１】
2006078022.tif 000003
【図２】
2006078022.tif 000004
【図３】
2006078022.tif 000005
【図４】
2006078022.tif 000006
【図５】
2006078022.tif 000007